Podtech/llm-jp-corpus-v4-ja_patent huggingface dataset:
【手続補正書】
【提出日】平成19年6月11日(2007.6.11)
【手続補正１】
【補正対象書類名】明細書
【補正対象項目名】００４１
【補正方法】変更
【補正の内容】
【００４１】
「ハロアルキル」は、クロロ、フルオロ、ブロモ及びヨードからなるグループから選択される１以上の置換基を有するアルキル基に関する。
【手続補正２】
【補正対象書類名】明細書
【補正対象項目名】０１２０
【補正方法】変更
【補正の内容】
【０１２０】
ＣａＣｌ２乾燥管とマグネチックスターラーバーを備えた丸底フラスコ（５０ｍｌ）で、ピリジン中のアクリジニウム−９−カルボン酸塩化物（２．０３６ｇ、８．４２ｍｍｏｌ）を７０℃まで加熱した。固体が完全に溶解した後、溶液を室温まで冷却し、２，６−ジブロモフェノール（２．３２５ｇ、９．２３ｍｍｏｌ）を添加し、混合物をしっかり一晩攪拌した。得られた混合物から茶色固体を残してピリジンを取り除いた。ＤＣＭ（１０ｍｌ）を使用して生成物を抽出し、抽出物をカラムクロマトグラフィーにさらし、トルエン＋ＥｔＯＡｃ（４：１）で溶出した。Ｒｆ０．５１での画分を集め蒸発し、淡黄色固体を得た。固体をＤＣＭ（４０ｍｌ）に再溶解し、希ＮａＯＨ（５×４０ｍｌ）で洗浄し、ＭｇＳＯ４で乾燥し、ろ過及び蒸発し、淡黄色粉体（２．０８０ｇ、５４％の収率）、ｍｐ１５９〜１６０℃を得た。
【手続補正３】
【補正対象書類名】明細書
【補正対象項目名】０１２８
【補正方法】変更
【補正の内容】
【０１２８】
ｂ．９−（２，６−ジブロモフェノキシカルボニル）−１０−（３−スクシンイミジルオキシカルボニルプロピル）アクリジニウム  ヨウ化物
【手続補正４】
【補正対象書類名】明細書
【補正対象項目名】０１５６
【補正方法】変更
【補正の内容】
【０１５６】
測定時間を５秒とし、その時間の間、光子係数を積分し、すぐに試薬を注入し始めた。それぞれの化合物がｐＨ１２と同等のピーク高さを示すように、使用するそれぞれの化合物の量とルミノメーターの係数要素を選択した。通常、１〜１０ｎｇ／ｍｌの範囲の濃度では、最初に１ｍｇ／ｍｌの濃度でアセトニトリルに溶解し、次に、塩酸にさらに希釈した純粋化合物とともに使用した。発光測定では１０μｌの体積を使用した。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
以下：
【化１】
2007504168.tif 000001
2007504168.tif 000002
から選択される化合物。
【請求項２】
化合物９、または化合物１４、または化合物１９、または化合物２２、または化合物２３、または化合物２４、または化合物２５、または化合物２６、または化合物２７、または化合物２８、または化合物２９、または化合物３０、または化合物３１、または化合物３２、または化合物３３、または化合物３４、または化合物３６である請求項１に記載の化合物。
【請求項３】
以下：
【化２】
2007504168.tif 000003
2007504168.tif 000004
2007504168.tif 000005
から選択される化合物を含む医薬組成物または栄養補助組成物。
【請求項４】
食品添加物または栄養補助食品である請求項３に記載の栄養補助組成物。
【請求項５】
炎症性疾患の進行を治療または軽減するための薬剤の製造における、炎症性疾患を治療するのに効果的な量の請求項１または２の化合物を含む医薬組成物または栄養補助組成物の使用。
【請求項６】
量が１日当たり体重１ｋｇにつき約０．５〜約１０００ｍｇであるか、または量が１日当たり体重１ｋｇにつき約１〜約５００ｍｇである請求項５に記載の使用。
【請求項７】
組成物が局所投与されるか、または組成物が経口投与されるか、または組成物が非経口投与される請求項５または６に記載の使用。
【請求項８】
患者のフリーラジカルを中和するための薬剤の製造における、フリーラジカルを中和するのに効果的な量の請求項１または２の化合物を含む医薬組成物または栄養補助組成物の使用。
【請求項９】
量が１日当たり体重１ｋｇにつき約０．１〜約３００ｍｇである請求項８に記載の使用。
【請求項１０】
組成物が局所投与されるか、または組成物が経口投与されるか、または組成物が非経口投与される請求項８または９に記載の使用。
【請求項１１】
炎症性疾患の進行を治療または軽減する薬剤の製造のための化合物の使用であって、該化合物が以下：
【化３】
2007504168.tif 000006
2007504168.tif 000007
から選択される上記使用。
【手続補正書】
【提出日】平成19年8月21日(2007.8.21)
【手続補正１】
【補正対象書類名】明細書
【補正対象項目名】００１７
【補正方法】変更
【補正の内容】
【００１７】
別の実施態様では、Ｒ１は、水素、ハロ、ヒドロキシおよび−ＮＲ６Ｒ７から選択され、Ｒ６は、水素およびＣ１−６アルキルから選択され、Ｒ７はＣ６−１０アリールおよびＣ５−１０ヘテロアリールから選択されるか、またはＲ６およびＲ７は、Ｒ６およびＲ７の両方が結合している窒素と一緒になって、Ｃ３−８ヘテロシクロアルキルを形成し、Ｒ７またはＲ６およびＲ７の組み合わせのアリール、ヘテロアリールまたはヘテロシクロアルキルは、所望により、ハロ、シアノ、Ｃ１−６アルキル、Ｃ２−６アルケニル、ハロ−置換−Ｃ１−６アルキル、ハロ−置換−Ｃ１−６アルコキシ、−ＸＮＲ８Ｒ８、−ＸＣ（Ｏ）ＮＲ８Ｒ８、−ＸＣ（Ｏ）ＮＲ８ＸＯＲ８、−ＸＳ（Ｏ）２ＮＲ８Ｒ８、−ＸＳＲ８、−ＸＮＲ８Ｓ（Ｏ）２Ｒ８、−ＸＮＲ８Ｃ（Ｏ）Ｒ８、−ＸＯＣ（Ｏ）Ｒ８、−ＸＯＲ８および−ＸＯＲ９から選択される１〜３個の基により置換され得、Ｘは結合またはＣ１−６アルキレンであり、Ｒ８は水素またはＣ１−６アルキルであり、Ｒ９はＣ６−１０アリールである。
【手続補正２】
【補正対象書類名】明細書
【補正対象項目名】００３０
【補正方法】変更
【補正の内容】
【００３０】
Ｔｅｃファミリーキナーゼ、Ｂｍｘ、非受容体タンパク質−チロシンキナーゼは、乳房上皮癌細胞の増殖を制御する。
【手続補正３】
【補正対象書類名】明細書
【補正対象項目名】００４１
【補正方法】変更
【補正の内容】
【００４１】
本発明化合物は、慣用的経路により、特に経腸的、例えば錠剤またはカプセル剤の形態で例えば経口的に、または例えば注射可能溶液または懸濁液形態で非経腸的に、例えばローション、ゲル、軟膏またはクリーム形態で局所的に、または鼻適用または坐剤形態での医薬組成物として投与され得る。少なくとも１種の医薬上許容される担体または希釈剤と共に本発明化合物の遊離形態または医薬上許容される塩形態を含む医薬組成物は、混合、造粒またはコーティング法による慣用的方法で製造され得る。例えば、経口組成物は、ａ）希釈剤、例えば、乳糖、デキストロース、しょ糖、マンニトール、ソルビトール、セルロースおよび／またはグリシン、ｂ）滑沢剤、例えば、シリカ、タルク、ステアリン酸、そのマグネシウムまたはカルシウム塩および／またはポリエチレングリコール、また錠剤についてはｃ）結合剤、例えば珪酸アルミニウムマグネシウム、澱粉ペースト、ゼラチン、トラガカント、メチルセルロース、カルボキシメチルセルロースナトリウムおよび・またはポリビニルピロリドン、所望ならばｄ）崩壊剤、例えば澱粉、寒天、アルギン酸またはそのナトリウム塩、または起沸性混合物；および／またはｅ）吸収剤、着色剤、香味料および甘味料と一緒に有効成分を含む錠剤またはゼラチンカプセル剤であり得る。注射可能組成物は、水性等張溶液または懸濁液であり得、坐剤は脂肪性エマルションまたは懸濁液から製造され得る。組成物は、滅菌され、および／またはアジュバント、例えば保存、安定、湿潤または乳化剤、溶解促進剤、浸透圧調節用の塩および／または緩衝液を含み得る。さらに、それらはまた、他の治療上貴重な物質を含み得る。経皮適用に適切な製剤は、担体と共に本発明化合物の有効量を含む。担体は、宿主の皮膚への浸透を助ける吸収可能な薬理学上許容される溶媒を含み得る。例えば、経皮装置は、裏当て部材、化合物を所望により担体と含んでいてもよいレザーバー、所望による長期間にわたって予め定められた制御速度で宿主の皮膚へ化合物を送達するための速度制御バリアー、および皮膚への装置確保手段を含む包帯形態である。マトリックス経皮製剤もまた使用され得る。例えば皮膚および目への局所適用に適切な製剤は、好ましくは当業界でよく知られている水溶液、軟膏、クリームまたはゲルである。それらは可溶化剤、安定剤、浸透促進剤、緩衝液および保存剤を含み得る。
【手続補正書】
【提出日】平成19年8月31日(2007.8.31)
【手続補正１】
【補正対象書類名】特許請求の範囲
【補正対象項目名】請求項１７
【補正方法】変更
【補正の内容】
【請求項１７】
発作、疼痛、不安障害、抑うつ、耽溺、消化器疾患、尿生殖器の障害、循環器疾患、てんかん、糖尿病、又は癌の治療に使用するための医薬組成物であって、当該組成物は医薬的に許容し得る賦形剤との混合物で、投与用量の少なくとも一つの請求項１の化合物を含む医薬組成物。
【手続補正２】
【補正対象書類名】特許請求の範囲
【補正対象項目名】請求項１８
【補正方法】変更
【補正の内容】
【請求項１８】
発作、疼痛、不安障害、抑うつ、耽溺、消化器疾患、尿生殖器の障害、循環器疾患、てんかん、糖尿病、又は癌を治療するための薬剤の製造における、請求項１の少なくとも一つの化合物又はその医薬組成物の使用。
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
揮発液体をリザーバから大気中に散布するように適合された装置であって、散布は、液体と接触している伝達部材と、該伝達部材と液体伝達接触している毛細管部材とによって達成され、該毛細管部材は、主毛細管チャネルを保持する気化表面を備え、これらの主毛細管チャネルの少なくともいくつかは、少なくとも１つの副毛細管チャネルと交差しており、副毛細管チャネルの横断面積は、前記主チャネルのそれよりも実質的に小さく、それによって液体が前記主チャネルと前記副チャネルの両方に流れるようにされている、前記装置。
【請求項２】
伝達部材が実質的に円柱状または円筒状の多孔質芯であって、気化表面が該芯から実質的に直角に延びるシートであり、該シートが少なくとも１つの表面上に毛細管チャネルを保持している、請求項１に記載の装置。
【請求項３】
揮発性液体を、気化表面から気化によって大気中に散布する方法であって、
リザーバから伝達手段によって、それと液体伝達接触している気化表面に液体を移送することを含み、この気化表面は主毛細管チャネルを含み、これらの主毛細管チャネルの少なくともいくつかに、少なくとも１つの副毛細管チャネルが交差しており、この副毛細管チャネルの横断面積は、主チャネルのそれよりも実質的に小さく、それによって液体が主チャネルおよび副チャネルの両方に流れるようする、前記方法。
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
刺激作用の低減された免疫調節を行なうための、免疫応答調節（ＩＲＭ）化合物を含む医薬組成物であって、ここで、
イミキモド以外のＩＲＭ化合物が断続的に送達されるように、前記医薬組成物が粘膜表面に間欠的に適用され、そして
各回適用後に、自然に吸収されるかまたは消失する前に実質的な量の前記ＩＲＭを含む前記医薬組成物が前記粘膜表面から除去される、
前記医薬組成物。
【請求項２】
同じ装置で適用され、且つ除去される、請求項１に記載の医薬組成物。
【請求項３】
前記粘膜表面が頚部上にあり、かつ、子宮頚部異形成、高悪性度扁平上皮内病変、低悪性度扁平上皮内病変、およびＨＰＶのリスクが高く重度が確定されていない非定型扁平上皮細胞からなる群より選択される症状に関連している、請求項１に記載の医薬組成物。
【請求項４】
前記粘膜表面が頚部上にあり、かつ、頚部のパピローマウイルス感染に関連している、請求項１に記載の医薬組成物。
【請求項５】
タンポン、子宮頚部キャップ、ペッサリー、綿棒、綿スポンジ、フォームスポンジ、および坐剤からなる群より選択される装置を使用して前記粘膜表面に適用される、請求項１〜４のいずれか一項に記載の医薬組成物。
【請求項６】
実質的な量の前記ＩＲＭを含む医薬組成物が、適用後８時間未満に除去される、請求項１〜５のいずれか一項に記載の医薬組成物。
【請求項７】
実質的な量の前記ＩＲＭを含む医薬組成物が、適用後２時間未満に除去される、請求項１〜５のいずれか一項に記載の医薬組成物。
【請求項８】
前記ＩＲＭが、ＴＬＲ６、ＴＬＲ７、ＴＬＲ８、ＴＬＲ９、およびその組合せからなる群より選択されるＴＬＲを活性化する、請求項１〜７のいずれか一項に記載の医薬組成物。
【請求項９】
前記ＩＲＭが、イミダゾキノリンアミン、テトラヒドロイミダゾキノリンアミン、イミダゾピリジンアミン、６，７−縮合シクロアルキルイミダゾピリジンアミン、１，２−架橋イミダゾキノリンアミン、イミダゾナフチリジンアミン、イミダゾテトラヒドロナフチリジンアミン、オキサゾロキノリンアミン、チアゾロキノリンアミン、オキサゾロピリジンアミン、チアゾロピリジンアミン、オキサゾロナフチリジンアミン、チアゾロナフチリジンアミン、ピリジンアミンに縮合した１Ｈ−イミダゾダイマー、キノリンアミン、テトラヒドロキノリンアミン、ナフチリジンアミン、及びテトラヒドロナフチリジンアミン、医薬的に許容されるそれらの塩、並びにその組合せからなる群より選択される、請求項１〜８のいずれか一項に記載の医薬組成物。
【請求項１０】
前記ＩＲＭが、１−（２−メチルプロピル）−１Ｈ−イミダゾ［４，５−ｃ］［１，５］ナフチリジン−４−アミンまたはその医薬的に許容される塩である、請求項１〜８のいずれか一項に記載の医薬組成物。
【手続補正書】
【提出日】平成19年8月30日(2007.8.30)
【手続補正１】
【補正対象書類名】明細書
【補正対象項目名】００１３
【補正方法】変更
【補正の内容】
【００１３】
特に、本発明の組み合わせにおいて、プロスタグランジンはラタノプロスト、トラバプロスト、ビマトプロストおよびケトラタノプロスト、より好ましくはラタノプロストおよびトラバプロスト、そして特に好ましくはラタノプロストから選択される。
【手続補正２】
【補正対象書類名】明細書
【補正対象項目名】００１８
【補正方法】変更
【補正の内容】
【００１８】
特に、本発明の薬剤が酸性であるとき、塩は薬理学的に許容される非毒性塩基から製造できる。塩は、アルミニウム、アンモニウム、カルシウム、銅、鉄、リチウム、マグネシウム、マンガン、カリウム、ナトリウム、亜鉛などを含む、全ての安定な形の無機塩基に由来する。特に好ましいのは、アンモニウム、カルシウム、マグネシウム、カリウムおよびナトリウム塩である。薬学的に許容される有機非毒性塩基由来の塩は、１級、２級および３級アミン、天然に存在する置換されたアミンを含む置換されたアミン、環状アミン、ならびに塩基性イオン交換樹脂、例えばアルギニン、ベタイン、カフェイン、コリン、Ｎ,Ｎ'−ジベンジルエチレンジアミン、ジエチルアミン、２−ジエチル−アミノエタノール、２−ジメチルアミノエタノール、エタノールアミン、エチレンジアミン、Ｎ−エチルモルホリン、Ｎ−エチルピペリジン、グルカミン、グルコサミン、ヒスチジン、イソプロピルアミン、リシン、メチルグルコサミン、モルホリン、ピペラジン、ピペリジン、ポリアミン樹脂、プロカイン、プリン、テオブロミン、トリエチルアミン、トリメチルアミン、トリプロピルアミンなどの塩を含む。
【手続補正３】
【補正対象書類名】明細書
【補正対象項目名】００３７
【補正方法】変更
【補正の内容】
【００３７】
本発明の薬剤は、任意の慣用の経路で、例えば非経腸的に、例えば注射用溶液または懸濁液の形で、または経腸的に、好ましくは経口で、例えば錠剤またはカプセルの形で、または局所的に、例えば溶液、軟膏またはゲルとして投与できる。
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
デフィブロチドを含む、抗腫瘍作用を有する製剤。
【請求項２】
デフィブロチドが、抗腫瘍作用を有する少なくとも１の他の活性成分と組み合わせて使用されることを特徴とする、請求項１に記載の製剤。
【請求項３】
抗腫瘍作用を有する前記他の活性成分が、パクリタキセル、モノクロタリン、BCNU、メルファラン及び／又はシクロホスファミドから選択されることを特徴とする、請求項２に記載の製剤。
【請求項４】
前記製剤が哺乳動物用であることを特徴とする、請求項１〜３のいずれか一項に記載の製剤。
【請求項５】
哺乳動物がヒトであることを特徴とする、請求項４に記載の製剤。
【請求項６】
哺乳動物が多発性骨髄腫に冒されていることを特徴とする、請求項４に記載の製剤。
【請求項７】
哺乳動物が乳癌に冒されていることを特徴とする、請求項４に記載の製剤。
【請求項８】
デフィブロチドが静脈内投与用であることを特徴とする、請求項１〜７のいずれか一項に記載の製剤。
【請求項９】
活性剤として、デフィブロチド及び抗腫瘍作用を有する少なくとも１の他の活性成分を含む製剤。
【請求項１０】
製剤が水性溶液であることを特徴とする、請求項９に記載の製剤。
【請求項１１】
慣用的な賦形剤及び／又はアジュバントを含むことによって特徴付けられている、請求項９〜１０のいずれか一項に記載の製剤。
【請求項１２】
抗腫瘍作用を有する前記他の活性成分が、パクリタキセル、モノクロタリン、BCNU、及び／又はシクロホスファミドから選択されることを特徴とする、請求項９〜１１のいずれか一項に記載の製剤。
【請求項１３】
別々に投与されうる２つの別個の製剤により構成される請求項９〜１２のいずれか一項に記載の製剤であって、一つはデフィブロチドを含み、他は抗腫瘍作用を有する他の活性成分を含む、製剤。
【請求項１４】
組み合わされた製剤として、同時の、別個の又は逐次の投与のための請求項９〜１２のいずれか一項に記載の製剤。
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
配列（Ｈ−ＩＥＧＰＴＬＲＱ（２−Ｎａｌ）ＬＡＡＲＸ10）2Ｋ−ＮＨ2（ここで、Ｘ10はサルコシンまたはβ−アラニンからなる群から選択される）を含んでなるトロンボポエチン受容体に結合する化合物。
【請求項２】
化合物が親水性ポリマーに共有結合している請求項１に記載の化合物。
【請求項３】
親水性ポリマーが約５００と約４０，０００ダルトンの間の平均分子量を有する請求項２に記載の化合物。
【請求項４】
親水性ポリマーが約５，０００と約２０，０００ダルトンの間の平均分子量を有する請求項２に記載の化合物。
【請求項５】
親水性ポリマーがポリエチレングリコール、ポリプロピレングリコール、ポリ乳酸およびポリグリコール酸からなる群から選択される請求項２に記載の化合物。
【請求項６】
化合物がポリエチレングリコールに共有結合している請求項５に記載の化合物。
【請求項７】
化合物の二量体サブユニットの各々が親水性ポリマーに共有結合している請求項１に記載の化合物。
【請求項８】
請求項１に記載の化合物を医薬的に許容され得るキャリアと組み合わさった状態で含んでなる医薬組成物。
【請求項９】
請求項１に記載の化合物を有効成分として含んでなるトロンボポエチンアゴニストによる処置に感受性の疾患に罹っている患者の処置のための製薬学的製剤。
【請求項１０】
ポリエチレングリコールとポリプロピレングリコールからなる群から選択される約５００と約２０，０００ダルトンの間の分子量を有し、かつ、非置換であるか、あるいはアルコキシあるいはアルキル基により置換され、そして前記アルコキシあるいはアルキル基が５個未満の炭素原子を有するポリマーの少なくとも１つにカップリング剤によりカップリングされた請求項１に記載の化合物を含んでなる生理学的に活性な、実質的に非免疫原性の水溶性ポリペプチド組成物。
【請求項１１】
ポリマーが約７５０と約１５，０００ダルトンの間の平均分子量を有する請求項１０に記載のポリペプチド組成物。
【請求項１２】
ポリマーが約５，０００と約１０，０００ダルトンの間の平均分子量を有する請求項１０に記載のポリペプチド組成物。
【請求項１３】
ポリマーがポリエチレングリコールである請求項１０に記載のポリペプチド組成物。
【請求項１４】
請求項１０に記載の化合物と医薬的に許容され得るキャリを含んでなる実質的に非免疫原性の水溶性ポリペプチド組成物。
【請求項１５】
細胞を配列（Ｈ−ＩＥＧＰＴＬＲＱ（２−Ｎａｌ）ＬＡＡＲＸ10）2Ｋ−ＮＨ2（こ
こで、Ｘ10はサルコシンまたはβ−アラニンからなる群から選択される）を含む化合物
の有効量と接触させることを含んでなる、細胞のトロンボポエチン受容体の活性化方法。
【請求項１６】
細胞がヒト巨核球、血小板またはＣＤ３４＋細胞を含んでなる請求項１５に記載の方法。
【請求項１７】
細胞がＴＰＯ依存性細胞を含んでなる請求項１５に記載の方法。
【請求項１８】
（１）約８０００ダルトン未満の分子量と、
（２）約１００μＭ以下のＩＣ50により表されるトロンボポエチン受容体への結合親和性を有し、かつ、下記アミノ酸配列：
Ｘ9Ｘ8ＧＸ1Ｘ2Ｘ3Ｘ4Ｘ5Ｘ6Ｘ7
（ここで、Ｘ9はＡ、Ｃ、Ｅ、Ｇ、Ｉ、Ｌ、Ｍ、Ｐ、Ｒ、Ｑ、Ｓ、Ｔ、またはＶであり；Ｘ8はＡ、Ｃ、Ｄ、Ｅ、Ｋ、Ｌ、Ｑ、Ｒ、Ｓ、Ｔ、またはＶであり、Ｘ1はＣ、Ｌ、Ｍ、Ｐ、Ｑ、Ｖであり；Ｘ2はＦ、Ｋ、Ｌ、Ｎ、Ｑ、Ｒ、Ｓ、ＴまたはＶであり；Ｘ3はＣ、Ｆ、Ｉ、Ｌ、Ｍ、Ｒ、Ｓ、ＶまたはＷであり；Ｘ4は２０個の遺伝的にコーディングされたＬ−アミノ酸のいずれかであり；Ｘ5はＡ、Ｄ、Ｅ、Ｇ、Ｋ、Ｍ、Ｑ、Ｒ、Ｓ、Ｔ、ＶまたはＹであり；Ｘ7はＣ、Ｇ、Ｉ、Ｋ、Ｌ、Ｍ、Ｎ、ＲまたはＶであり、そしてＸ6はβ−（２−ナフチル）アラニンである）
を含んでなる、トロンボポエチン受容体に結合する化合物。
【請求項１９】
アミノ酸配列が環化されている請求項１８に記載の化合物。
【請求項２０】
アミノ酸配列が二量化されている請求項１８に記載の化合物。
【請求項２１】
前記化合物がＩＥＧＰＴＬＲＱ（２−Ｎａｌ）ＬＡＡＲＡのアミノ酸配列を含んでなる請求項１８に記載の化合物。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
次の構造式で示されるキラル化合物：
【化１】
2007504133.tif 000001
（上式中、A, B, CおよびDはそれぞれ独立して選ばれる二価の基であり、X基はそれぞれ独立して選ばれる置換基であり、n添え字はそれぞれ独立して0, 1, 2または3であり、RO基はそれぞれ独立して各酸素をキャップする水素または置換基であり、任意の二つのXおよび/またはRO基は随意選択的に縮合環を形成していてもよく、二つのRO基は随意選択的に結合してブリッジを形成していてもよい）。
【請求項２】
次の構造式で表される、一つもしくは二つ以上のキラル化合物、またはそれらの重合体形態を、液晶材料と混合されたキラルドーパントとして含む液晶組成物：
【化２】
2007504133.tif 000002
（上式中、A, B, CおよびDはそれぞれ独立して選ばれる二価の基であり、X基はそれぞれ独立して選ばれる置換基であり、n添え字はそれぞれ独立して0, 1, 2または3であり、RO基はそれぞれ独立して各酸素をキャップする水素または置換基であり、任意の二つのXおよび/またはRO基は随意選択的に縮合環を形成していてもよく、二つのRO基は随意選択的に結合してブリッジを形成していてもよい）。
【請求項３】
請求項2に記載の液晶組成物を含むディスプレイであって、前記組成物が第一電極と第二電極との間に配置されているディスプレイ。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
対象において抗原に対する免疫応答を引き起こすための併用薬であって、ＩＲＭ化合物と抗原を含み、ここで、
抗原に対する免疫応答を増強するのに有効な量のＴＬＲ８アゴニストＩＲＭ化合物が前記対象の投与部位に局所投与され、そして
前記抗原に対する免疫応答を引き起こすのに有効な量で、前記抗原を含有する医薬組成物が前記投与部位において投与される、前記併用薬。
【請求項２】
対象において抗原に対する免疫応答を引き起こすための併用薬であって、ＩＲＭ化合物と抗原を含み、ここで、
抗原に対する免疫応答を増強するのに有効な量の前記ＩＲＭ化合物が対象の投与部位に局所投与され、そして
前記抗原に対する免疫応答を引き起こすのに有効な量で、前記抗原を含有する医薬組成物が前記投与部位において投与され、
前記ＩＲＭ化合物が、置換イミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、またはチアゾロナフチリジンアミンである、前記併用薬。
【請求項３】
ＩＲＭ化合物を含む、接種部位でのワクチンの投与を受けて対象によって引き起こされる免疫応答を増強するための医薬組成物であって、ここで、前記ワクチンに対する免疫応答を増強するのに有効な量の前記ＩＲＭ化合物が前記接種部位において前記対象に局所投与され、ここで、前記ＩＲＭ化合物が、置換イミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、またはチアゾロナフチリジンアミンである、前記医薬組成物。
【請求項４】
ＴＬＲ８アゴニストＩＲＭ化合物を含む、接種部位でのワクチンの投与を受けて対象によって引き起こされる免疫応答を増強するための医薬組成物であって、ここで、前記ワクチンに対する免疫応答を増強するのに有効な量の前記ＴＬＲ８アゴニストＩＲＭ化合物が前記接種部位において前記対象に局所投与される、前記医薬組成物。
【手続補正書】
【提出日】平成19年8月15日(2007.8.15)
【手続補正１】
【補正対象書類名】明細書
【補正対象項目名】発明の名称
【補正方法】変更
【補正の内容】
【発明の名称】ＨＩＶプロテアーゼ阻害薬固体分散物を含む固体薬物剤形
【手続補正書】
【提出日】平成19年11月8日(2007.11.8)
【手続補正１】
【補正対象書類名】明細書
【補正対象項目名】０００５
【補正方法】変更
【補正の内容】
【０００５】
α1-抗トリプシンは、417アミノ酸および3個のオリゴサッカライド側鎖を有する分子量51,000の糖タンパク質である。ヒトα1-抗トリプシンは、最初に発見された、膵臓トリプシンを不活性化する能力ゆえに抗トリプシンと命名された。ヒトα1-抗トリプシンは、内部ジスルフィド結合を有さず、かつ通常はシステインまたはグルタチオンのいずれかに分子間ジスルフィド結合した単一のシステインのみを有する単一のポリペプチド鎖である。α1-抗トリプシンの反応部位はメチオニン残基を含み、これは、タバコの煙または他の酸化汚染物質への曝露の際に酸化に対して不安定である。このような酸化は、α1-抗トリプシンの生物学的活性を減少させ；それゆえに、その位置における別のアミノ酸：すなわち、アラニン、バリン、グリシン、フェニルアラニン、アルギニン、またはリジンへの置換は、より安定なα1-抗トリプシンの型を産生する。α1-抗トリプシンは以下の式によって表され得る：
2007504144.tif 000001
（SEQ ID NO：61）
Ciliberto, et al. in Cell 1985,41, 531-540。α1-抗トリプシンのカルボキシ末端の近傍の重要なアミノ酸配列は太字でかつ下線を付して示され、かつ本発明に直接関連がある（配列の詳細は、例えば、参照として組み入れられる米国特許第5,470,970号において見い出され得る）。
【手続補正２】
【補正対象書類名】明細書
【補正対象項目名】００６２
【補正方法】変更
【補正の内容】
【００６２】
上記に列挙された方法の各々において、本発明の方法における使用のために企図される、哺乳動物α1-抗トリプシンまたはセリンプロテアーゼ活性阻害因子の物質は、AATの一部または断片に対応するアミノ酸ペプチドを含む一連のペプチドをさらに含む。例えば、限定目的ではなく、AATの10アミノ酸断片に対応するアミノ酸ペプチドが、本発明の組成物および方法における使用のために特に企図される。特に、以下のアミノ酸ペプチドまたはその任意の組合せである。
2007504144.tif 000002
本発明の組成物および方法における使用のために企図される列挙されたAATペプチドが、上述のSEQ ID NO：61の10アミノ酸AATペプチド以外の任意の、およびすべての特異的AATペプチドを含むと企図されることが、特に意図される。例えば、SEQ ID NO：61のAATペプチドのアミノ酸1位〜10位、アミノ酸11位〜20位、アミノ酸21位〜30位などが本明細書に列挙されているのに対して、本発明の使用の組成物および方法の範囲は、SEQ ID NO：61の各々の特異的なAATペプチドを実際に列挙することなく、すべての可能なAATペプチドの組合せ、例えばSEQ ID NO：61のアミノ酸2位〜12位、アミノ酸3位〜13位、4位〜14位など、ならびにSEQ ID NO：61のアミノ酸を選択して対応する任意の、およびすべてのAATペプチド断片を特異的に含むことが意図される。従って、例示目的のために、かつ限定目的のためではなく、出願人は、SEQ ID NO：61に記述されるアミノ酸配列に基づく任意のおよびすべてのAATペプチド変種に基づく組成物、および本発明の方法におけるこのような組成物の使用を保有する権利を本明細書において有する。
【手続補正３】
【補正対象書類名】明細書
【補正対象項目名】００６４
【補正方法】変更
【補正の内容】
【００６４】
1つの態様において、炭疽菌、ジフテリア菌（Corynebacterium diptheriae）、または緑膿菌のいずれかによって引き起こされる症状を予防または改善するための本発明の組成物および方法の使用に関して、元来（native）のα1-抗トリプシン分子のアミノ酸を含むアミノ酸配列を有するα1-抗トリプシン変種を含むフューリンエンドプロテアーゼ阻害因子は、米国特許第5,604,201号および第6,022,855号において開示されるような元来のα1-抗トリプシンのアミノ酸配列の355位〜358位において、元来のタンパク質の355位〜358位（-Ala-Ile-Pro-Met-）（SEQ ID NO：61の355〜358位として特徴付けられる）が新規な配列-Arg-X-X-Arg-（SEQ ID NO：62の355〜358位として特徴付けられる）（ここで、Xは任意のアミノ酸である）に変化している以外は、本発明の範囲から特に除外される。
【手続補正４】
【補正対象書類名】明細書
【補正対象項目名】００６５
【補正方法】変更
【補正の内容】
【００６５】
米国特許第5,604,201号および第6,022,855号において開示されるように、α1-抗トリプシンのアミノ酸Portland配列の355位〜358位におけるアミノ酸配列が、-Ala-Ile-Pro-Arg-（SEQ ID NO：63の355〜358位として特徴付けられる）であるα1-抗トリプシンPortland変種もまた、炭疽菌、ジフテリア菌、または緑膿菌のいずれかによって引き起こされる症状を予防または改善するための本発明の組成物および方法の範囲から特に除外される。
【手続補正５】
【補正対象書類名】明細書
【補正対象項目名】００６６
【補正方法】変更
【補正の内容】
【００６６】
米国特許第5,604,201号および第6,022,855号において開示されるように、アミノ酸配列-Arg-Xaa-Xaa-Arg-（SEQ ID NO：62の355〜358位として特徴付けられる）（ここで、各Xaaは任意のアミノ酸である）を含む約4アミノ酸〜約100アミノ酸の長さのアミノ酸配列を有するペプチドもまた、炭疽菌、ジフテリア菌、または緑膿菌のいずれかによって引き起こされる症状を予防または改善するための本発明の組成物および方法の範囲から特に除外される。
【手続補正６】
【補正対象書類名】明細書
【補正対象項目名】０１２０
【補正方法】変更
【補正の内容】
【０１２０】
本発明の特定の融合ポリペプチドの中には、例えば、SEQ ID NO：61において以下に示されるα1-抗トリプシンのアミノ酸配列を含む融合タンパク質がある。
2007504144.tif 000003
【手続補正７】
【補正対象書類名】明細書
【補正対象項目名】配列表
【補正方法】変更
【補正の内容】
【配列表】
2007504144000001.app
【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
カルボニル数が０．２ｍｇＫＯＨ／ｇ以下であり、ライトエンド成分が１０００ｐｐｍｗｔ未満であり、リキッド体積抵抗率（ＬＶＲ）は、
ｉ）ジアルキル基がエチルヘキシルのとき０．３×１０１２ohm・ｃｍ以上であり、
ｉｉ）ジアルキル基がジイソノニルのとき０．６×１０１２ohm・ｃｍ以上であり、
ｉｉｉ）ジアルキル基がジイソデシルのとき１．３５×１０１２ohm・ｃｍ以上である、
ことを特徴とするジアルキルフタレート。
【請求項２】
中間体成分が７５０ｐｐｍｗｔ未満であることを特徴とする請求項１に記載のフタレート。
【請求項３】
ライトエンド成分と中間体成分の混合物が１０００ｐｐｍｗｔ未満であることを特徴とする請求項２に記載のフタレート。
【請求項４】
（i）６から１３の炭素原子を具備するアルコールを有する酸又は無水物をエステル化し、生のエステルを形成するステップと、
（ii）塩基により前記生のエステルを処理し、処理したエステルにするステップと、
（iii）液体生成物を分離するために前記処理したエステルを濾過するステップと、
（iv）ストリッピングされた材料を製造するために前記液体生成物をストリッピングするステップと、
（v）前記ストリッピングされた材料を吸着剤で処理するステップと、
（vi）可塑化エステルから吸着剤を除去するために、随意的に濾過助剤の存在下で、ステップ（v）の産品を濾過するステップと、
を具備する、可塑化エステルの製造方法。
【請求項５】
前記濾過するステップ(iii)の前に前記処理したエステルから水を除去することを特徴とする請求項４に記載の方法。
【請求項６】
用いられる吸着剤と濾過助剤の混合量は、可塑化エステルの重量を基準にして０．０１から５ｗｔ％であることを特徴とする請求項４又は請求項５に記載の方法。
【請求項７】
前記ステップ（ｖ）と前記ステップ（ｖｉ）とは、濾過助剤と前記ステップ（ｖ）の吸着剤との混合物を用いて行なわれることを特徴とする請求項４から請求項６のうちいずれか１項に記載の方法。
【請求項８】
前記混合物は、９０から３０重量部の濾過助剤と１０から７０重量部の吸着剤とを含有することを特徴とする請求項７に記載の方法。
【請求項９】
前記吸着剤は活性炭であることを特徴とする請求項４から請求項８のうちいずれか１項に記載の方法。
【請求項１０】
前記濾過助剤は粘土であることを特徴とする請求項４から請求項９のうちいずれか１項に記載の方法。
【請求項１１】
前記吸着剤は、濾過助剤としても作用することを特徴とする請求項４から請求項１０のうちいずれか１項に記載の方法。
【請求項１２】
前記処理ステップ（ｖ）は、２０から１８０℃の範囲、好ましくは５０から１５０℃の範囲、より好ましくは８０から１２０℃の範囲、特に好ましくは１００から１１０℃の範囲の温度で行なわれることを特徴とする請求項４から請求項１１のうちいずれか１項に記載の方法。
【請求項１３】
前記処理ステップ（ｖ）は８０から１２０℃の温度範囲で行なわれ、前記可塑剤はＣ８からＣ１３のジアルキルフタレートであることを特徴とする請求項１２に記載の方法。
【請求項１４】
前記エステルとｐＨが６から１１の範囲の吸着剤の混合物を形成するステップと、該混合物を濾過するステップとを具備する可塑化エステルの精製方法。
【請求項１５】
前記吸着剤は活性炭を具備し、前記混合物はｐＨが６から１１の範囲を持つ濾過助剤を具備することを特徴とする請求項１４に記載の方法。
【請求項１６】
活性炭と濾過助剤の混合物を使用して可塑化エステルを濾過して精製する方法において、前記活性炭と前記濾過助剤はそれぞれｐＨが６から１１の範囲であることを特徴とする方法。
【請求項１７】
精製に先立ち前記可塑化エステルがストリッピングされることを特徴とする、請求項１４から請求項１６のうちいずれか１項に記載の方法。
【請求項１８】
請求項１から請求項３のうちいずれか１項に記載のフタレートにより可塑化されたポリ塩化ビニル、又は請求項４から請求項１３のうちいずれか１項に記載の方法により作られた可塑化エステル、又は請求項１４から請求項１７のうちいずれか１項に記載の方法により精製された可塑化エステルを具備することを特徴とする、ポリ塩化ビニルの組成。
【請求項１９】
電線及びケーブルの絶縁のために使用することを特徴とする、請求項１８に記載のポリ塩化ビニルの組成。
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
Tm.p..＝180±３℃（形態Ｉ）（DSCにより測定；ピーク最大により評価；加熱速度：10℃／分）を特徴とする、結晶形態のエチル3-[(2-{[4-(ヘキシルオキシカルボニルアミノ-イミノ-メチル)-フェニルアミノ]-メチル}-1-メチル-1H-ベンズイミダゾール-5-カルボニル)-ピリジン-2-イル-アミノ]-プロピオネート-メタンスルホネート。
【請求項２】
Tm.p..＝190±３℃（形態ＩＩ）（DSCにより測定；ピーク最大により評価；加熱速度：10℃／分）を特徴とする、結晶形態のエチル3-[(2-{[4-(ヘキシルオキシカルボニルアミノ-イミノ-メチル)-フェニルアミノ]-メチル}-1-メチル-1H-ベンズイミダゾール-5-カルボニル)-ピリジン-2-イル-アミノ]-プロピオネート-メタンスルホネート。
【請求項３】
Tm.p..＝120±５℃（半水化物）（DSCにより測定；ピーク最大により評価；加熱速度：10℃／分）を特徴とする、結晶形態のエチル3-[(2-{[4-(ヘキシルオキシカルボニルアミノ-イミノ-メチル)-フェニルアミノ]-メチル}-1-メチル-1H-ベンズイミダゾール-5-カルボニル)-ピリジン-2-イル-アミノ]-プロピオネート-メタンスルホネート。
【請求項４】
請求項１〜３のいずれか１項に記載のエチル3-[(2-{[4-(ヘキシルオキシカルボニルアミノ-イミノ-メチル)-フェニルアミノ]-メチル}-1-メチル-1H-ベンズイミダゾール-5-カルボニル)-ピリジン-2-イル-アミノ]-プロピオネート-メタンスルホネート塩を、場合により１以上の不活性担体及び／又は希釈剤と共に含む医薬組成物。
【請求項５】
手術後の深部静脈血栓症の発病の予防及び脳卒中の予防に適する医薬組成物を製造するための、請求項１〜３のいずれか１項に記載のエチル3-[(2-{[4-(ヘキシルオキシカルボニルアミノ-イミノ-メチル)-フェニルアミノ]-メチル}-1-メチル-1H-ベンズイミダゾール-5-カルボニル)-ピリジン-2-イル-アミノ]-プロピオネート-メタンスルホネートの使用。
【請求項６】
請求項４に記載の医薬組成物を製造する方法であって、非化学的方法により、請求項１〜３のいずれか１項に記載のエチル3-[(2-{[4-(ヘキシルオキシカルボニルアミノ-イミノ-メチル)-フェニルアミノ]-メチル}-1-メチル-1H-ベンズイミダゾール-5-カルボニル)-ピリジン-2-イル-アミノ]-プロピオネート-メタンスルホネート塩を、１以上の不活性担体及び／又は希釈剤に含ませることを特徴とする方法。
【請求項７】
ａ）わずかに足りないメタンスルホン酸のアセトン溶液を、約３０〜３６℃の温度でBIBR 1048ベースのアセトン溶液にゆっくりと添加し、
ｂ）混合物を、約１時間、約２６〜３３℃の温度で攪拌し、
ｃ）混合物を、約１７〜２３℃に冷却し、更に４０〜８０分間、この温度で攪拌し、
ｄ）BIBR 1048 MS形態Ｉの沈殿結晶を吸引ろ過し、及び
ｅ）そのようにして得られた生成物を、真空で、少なくとも４時間、最大５０℃で乾燥すること
を特徴とするBIBR 1048 MS多形体Ｉを製造する方法。
【請求項８】
ａ）わずかに足りないメタンスルホン酸のアセトン溶液を、約４０〜４６℃の温度でBIBR 1048ベースのアセトン溶液にゆっくりと添加し、
ｂ）混合物に、場合により、BIBR 1048多形体ＩＩ結晶を接種し、
ｃ）それを、その後、約１時間、約４０〜４６℃の温度で攪拌し、
ｄ）約１７〜２３℃に冷却し、更に４０〜８０分間、この温度で攪拌し、
ｅ）BIBR 1048 MS形態ＩＩの沈殿結晶を吸引ろ過し、及び
ｆ）そのようにして得られた生成物を、真空で、少なくとも４時間、最大５０℃で乾燥すること
を特徴とするBIBR 1048 MS多形体ＩＩを製造する方法。
【請求項９】
ａ）BIBR 1048 MS多形体Ｉのアセトン懸濁液を、４５〜５０℃に、約４時間、攪拌しながら加熱し、
ｂ）場合により、ｉ）BIBR 1048多形体ＩＩ結晶を接種し、又はｉｉ）BIBR 1048多形体ＩＩ結晶を接種し及び付加的に少量のBIBR 1048ベースを添加し、
ｃ）その後、約１５℃に冷却し、
ｄ）BIBR 1048 MS形態ＩＩの沈殿結晶を吸引ろ過し、及び
ｅ）そのようにして得られた生成物を、真空で、少なくとも４時間、最大５０℃で乾燥すること
を特徴とするBIBR 1048 MS多形体ＩＩを製造する方法。
【請求項１０】
ａ）BIBR 1048 MS多形体Ｉをアセトン中に置き、及び
ｂ）場合により、ｉ）少量のBIBR 1048多形体ＩＩを接種し、又はｉｉ）BIBR 1048多形体ＩＩ結晶を接種し及び付加的に少量のBIBR 1048ベースを添加し、
ｃ）そのようにして得られた混合物を、４０〜４６℃に、少なくとも１時間、攪拌しながら加熱し、
ｄ）その後、約１７〜２３℃に冷却し、及び、更に４０〜８０分間、この温度で攪拌し、
ｅ）BIBR 1048 MS形態ＩＩの沈殿結晶を分離し、及び
ｆ）そのようにして得られた生成物を、真空で、少なくとも４時間、最大５０℃で乾燥すること
を特徴とするBIBR 1048 MS多形体ＩＩを製造する方法。
【請求項１１】
ａ）１当量のメタンスルホン酸の酢酸エチル溶液を、約３５〜４０℃の温度で、９０％水性エタノール及び酢酸エチルの約２：５（容量比）混合物中BIBR 1048ベースの溶液にゆっくりと添加し、
ｂ）場合により、生成物が析出し始めたとき、更に、酢酸エチルを希釈のために添加し、
ｃ）混合物を、更に約３０分間、約３５〜４０℃で攪拌し、
ｄ）その後、更に３０分間、周囲温度で攪拌し、
ｅ）BIBR 1048 MS半水化物の沈殿物を吸引ろ過し、及び
ｆ）約４０℃で、循環空気乾燥棚において乾燥すること
を特徴とするBIBR 1048 MS半水化物を製造する方法。
【請求項１２】
請求項７に記載の方法により得ることが可能なBIBR 1048 MS多形体Ｉ。
【請求項１３】
請求項８〜１０のいずれか１項に記載の方法により得ることが可能なBIBR 1048 MS多形体ＩＩ。
【請求項１４】
請求項１１に記載の方法により得ることが可能なBIBR 1048 MS半水化物。
【手続補正書】
【提出日】平成19年7月27日(2007.7.27)
【手続補正１】
【補正対象書類名】特許請求の範囲
【補正対象項目名】請求項１４
【補正方法】変更
【補正の内容】
【請求項１４】
以下のステップ：
１、基材に配向材料の層を提供すること、
２、任意に配向材料を一定方向に研磨し、好ましい配向方向を作製すること、
３、光重合可能なキラルＬＣ材料の層を配向層に被覆すること、
４、フォトマスクで被覆されていない領域の異性化可能なキラルドーパントの光異性化をもたらすように、フォトマスクを通してＬＣ層を照射し、層中に異なるねじれを有する領域のパターンを作製すること、
５、ねじれパターンを永久に固定するためにＬＣ層を重合すること、
を含む工程によって得られることを特徴とする、請求項１１〜１３のいずれかに記載のポリマーフィルム。
【手続補正２】
【補正対象書類名】特許請求の範囲
【補正対象項目名】請求項１７
【補正方法】変更
【補正の内容】
【請求項１７】
重合可能な材料の選択された領域の照射が、精細に集束された照射源によって行われる、請求項１５に記載のポリマーフィルム。
【手続補正３】
【補正対象書類名】特許請求の範囲
【補正対象項目名】請求項１８
【補正方法】変更
【補正の内容】
【請求項１８】
酸素の存在下で、以下のステップ：
Ａ）酸素の存在下で重合せず、請求項１１に記載の第１および第２のキラル化合物を含む、光重合可能なキラル液晶材料の層を提供するステップ、
Ｂ）１）層の選択された領域を基材で被覆するステップ、および第１のキラル化合物のねじれ力を変え、かつキラル重合可能材料の重合を開始させる光照射で層を照射するステップ、ここで、基材は、酸素バリア層の性質を有し、光照射に透過性であり、ならびに
２）ステップＢ１の手順を１または２回以上、前のステップにおいて基材で被覆されていない層の少なくとも１つの領域について繰り返すステップ、
を含む工程によって得ることができる、請求項１１〜１７のいずれかに記載のポリマーフィルム。
【手続補正４】
【補正対象書類名】特許請求の範囲
【補正対象項目名】請求項２５
【補正方法】変更
【補正の内容】
【請求項２５】
１）以下に記載の順序でセルの端から開始して中心まで至る、以下の要素
１１）少なくとも１つが入射光に対して透過性である、互いに面平行な第１および第２の基材、
１２）ＬＣセルの個々の画素を個々に切り替えるのに用いることができる、前記基材のうちの１つの上の非直線電気素子の配列であって、前記素子は、トランジスタ、とくに好ましくはＴＦＴなどの好ましくは能動素子である、前記配列、  
１３）前記基材のうちの１つ、好ましくは非直線素子の配列を有するものと反対側の基材上に提供されたカラーフィルター配列であって、前記カラーフィルターは任意に平坦化層で被覆されている、前記フィルター配列、
１４）前記第１の基材の内側に提供された第１の電極層、
１５）前記第２の基材の内側に提供された任意の第２の電極層、
１６）前記第１および第２の電極上に提供された任意の第１および第２の配向層、
１７）電場を与えることで少なくとも２つの異なる状態間に切り替え可能であるＬＣ媒体、
を含む液晶（ＬＣ）セル、
２）ＬＣセルの片側上の第１の直線偏光子、
３）第１の直線偏光子の側とは反対のＬＣセル側上の任意の第２の直線偏光子、および
４）請求項１〜１８のいずれかに記載の少なくとも１つの光学リタデーションフィルム、
を含むＬＣＤであって、前記光学リタデーションフィルム４）は、カラーフィルターおよびＬＣ媒体の間に位置することを特徴とする、前記ＬＣＤ。
【手続補正５】
【補正対象書類名】明細書
【補正対象項目名】００２１
【補正方法】変更
【補正の内容】
【００２１】
かわりに、この好ましい態様での異方性ポリマーフィルムは、酸素の存在下で以下のステップを含む方法によって得ることができる。
（Ａ）酸素の存在下で重合せず、上述の第１および第２のキラル化合物を含む、光重合可能なキラルＬＣ材料の層を提供するステップ、
（Ｂ）１）層の選択された領域を基材で被覆するステップ、および、第１のキラル化合物のねじれ力を変え、キラル重合可能材料の重合を開始させる光照射で層を照射するステップ、ここで、基材は、酸素バリア層の性質を有し、光照射に透過性であり、
２）ステップＢ１の手順を１または２回以上、前の段階ステップにおいて基材で被覆されていない層の少なくとも１つの領域について繰り返すステップ。
【手続補正６】
【補正対象書類名】明細書
【補正対象項目名】００４７
【補正方法】変更
【補正の内容】
【００４７】
この態様のＬＣＤは、好ましくは、以下のものを含む。
１）以下に記載の順序でセルの端から開始して中心へ至る、以下の素子
１１）少なくとも１つが入射光に対して透過性である、互いに面平行な第１および第２の基材
１２）ＬＣセルの個々の画素を個々に切り替えるのに用いることができる、前記基材のうちの１つの上の非直線電気素子の配列であって、前記素子がトランジスタ、とくに好ましくはＴＦＴなどの好ましくは能動素子である、前記配列、  
１３）前記基材のうちの１つの上、好ましくは非直線素子の配列を有するものと反対側の基材上に、提供されたカラーフィルター配列であって、前記カラーフィルターは任意に平坦化層で被覆されている、前記配列、
１４）前記第１の基材の内側に提供された第１の電極層
１５）前記第２の基材の内側に提供された任意の第２の電極層
１６）前記第１および第２の電極上に提供された任意の第１および第２の配列層
１７）電場を与えることで少なくとも２つの異なる状態間に切り替え可能であるＬＣ媒体
を含む液晶（ＬＣ）セル、
２）ＬＣセルの片側上の第１の直線偏光子
３）第１の直線偏光子の側とは反対側のＬＣセル側上の任意の第２の直線偏光子、および
４）本発明の少なくとも１つのパターン化光学リタデーションフィルムを含むＬＣＤであって、前記パターン化光学リタデーションフィルム４）は、ＬＣセルの第１および第２の基板間、好ましくは、カラーフィルターおよびＬＣ媒体間、非常に好ましくは、カラーフィルターと前記電極層のうちの１つとの間、または平坦化層が存在する場合には、平坦化層と前記電極層のうちの１つとの間に位置することを特徴とする。
以下の例は、本発明を限定することなく例示するものである。前記および以下において、別に示されていない限り、すべての温度は、摂氏度で記載され、全てのパーセントは重量によるものである。
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
少なくとも第１および第２の光学フィルムのスタックであって、前記少なくとも第１および第２の光学フィルムの各々が、少なくとも１つの周囲タブを有し、前記少なくとも第１および第２の光学フィルムの少なくとも１つの周囲タブが、相対的に整列しており、接着剤の層が前記少なくとも１つの周囲タブの間に配置されて、前記少なくとも第１および第２の光学フィルムを互いに接着する、少なくとも第１および第２の光学フィルムのスタックを含む、ディスプレイ内の光を管理するための光管理フィルムパッケージ。
【請求項２】
照明ユニットと、
ディスプレイユニットと、
前記照明ユニットから前記ディスプレイユニットまで進む光を管理するために前記照明ユニットと前記ディスプレイユニットとの間に配置された光管理ユニットとを含むディスプレイシステムであって、前記光管理ユニットが請求項１記載の光管理フィルムパッケージを含む、ディスプレイシステム。
【請求項３】
接着剤層で、第１の光学フィルムを第２の光学フィルムに、前記第１および第２の光学フィルムの、周囲光学タブに対応する部分で接着する工程と、
前記第１および第２の光学フィルムを切断して、それぞれの周囲タブを有するそれぞれの第１および第２の光学フィルムセグメントを製造する工程とを含む、光学ディスプレイのための光学フィルムを積重ねるための方法であって、
前記第１および第２の光学フィルムが、整列され接着された周囲タブを有するフィルムスタックを形成する、方法。
【請求項４】
第１の周縁を有し、少なくとも１つの第１の周囲タブが前記第１の周縁上に配置された第１の光学フィルムと、
前記第１の光学フィルムの上に配置された第２の光学フィルムであって、前記第２の光学フィルムが第２の周縁を有し、少なくとも１つの第２の周囲タブが前記第２の周縁上に配置され、前記少なくとも１つの第２の周囲タブが前記少なくとも１つの第１の周囲タブと整列され、前記少なくとも１つの第２の周囲タブが接着剤で前記少なくとも１つの第１の周囲タブに接着されてフィルムスタックを形成する、第２の光学フィルムとを含む、ディスプレイ内の光を管理するための光管理フィルムパッケージ。
【請求項５】
照明ユニットと、
ディスプレイユニットと、
前記照明ユニットから前記ディスプレイユニットまで進む光を管理するために前記照明ユニットと前記ディスプレイユニットとの間に配置された光管理ユニットとを含むディスプレイシステムであって、前記光管理ユニットが、請求項４記載の光管理フィルムパッケージを含む、ディスプレイシステム。